(57)【要約】【課題】ボディ内において部品数を増やさずに内器取付スペースを有効活用することができるとともに配線を簡素にする。【解決手段】映像用機器及び通信用機器の少なくとも一方を内器として１乃至複数情報盤に収用してなるマルチメディアポートであって、情報盤は、底部となる後面部１０及び後面部１０の全周から突出する側周部１３，１４，１５，１６からなり、後面部１０の一部に矩形状の貫通穴１２を形成するボディ１と、貫通穴１２に配置されるジャックパネル５とを備え、ジャックパネル５は正面部にモジュラプラグ接続用の開口と背面部に電線接続端子とを有するモジュラジャック６を複数並設して備える。【選択図】図１
2005056710.tif 000002
【特許請求の範囲】
【請求項１】
映像用機器及び通信用機器の少なくとも一方を内器として１乃至複数情報盤に収用してなるマルチメディアポートであって、
前記情報盤は、底部及び前記底部の全周から突出する側周部からなり、底部の一部に矩形状の貫通穴を形成するボディと、
前記貫通穴に配置されるジャックパネルとを備え、
前記ジャックパネルは正面部にモジュラプラグ接続用の開口と背面部に電線接続端子とを有するモジュラジャックを複数並設して備えることを特徴とするマルチメディアポート。
【請求項２】
映像用機器及び通信用機器の少なくとも一方を内器として１乃至複数情報盤に収用してなるマルチメディアポートであって、
前記情報盤は、底部及び前記底部の端部から突出する側周部からなり、底部の一部に一の方向を長手方向とする矩形状の貫通穴を形成するボディを含み、
前記貫通穴は、正面部にモジュラプラグ接続用の開口と背面部に電線接続端子とを有する埋め込みモジュラジャックを複数挿通する寸法に設定され、
前記埋め込みモジュラジャック及び前記貫通穴の内の一方が前記一の方向に沿う両端に少なくとも一対の突起を有するとともに、他方が前記一の方向に沿う両端に少なくとも一対の凹所を有し、
前記突起と前記凹所を凹凸係合して前記埋め込みモジュラジャックを前記貫通穴に配置することを特徴とするマルチメディアポート。
【発明の詳細な説明】
【技術分野】
【０００１】
本発明は、映像用機器及び通信用機器の少なくとも一方を内器として１乃至複数情報盤内に収用して構成されるマルチメディアポートに関するものである。
【背景技術】
【０００２】
従来、この種のマルチメディアポートは、種々提案されまた市販されている。マルチメディアポートは、ＢＳ・Ｕ／Ｖブースタ、デジタルＣＳ衛星信号切換器、ＤＳＵ、モジュラジャック中継端子台などの機器と、交流電源を分岐配線するための電線接続端子装置とで構成されるもので、ユーザーの設備に応じて上記の端子の組み合わせが選択できる。
【０００３】
例えば、特許文献１には、マルチメディアポートのボディ内に外形寸法を所定の単位寸法の整数倍に形成してモジュール化したＬＡＮ端子台などの内器を設け、ＬＡＮケーブルをボディに開けられる通線口からボディ内に引き込み、ＬＡＮ端子台に接続するといったマルチメディアポートが記載されている。
【０００４】
また、ジャックパネル取付部品によってモジュラジャックが並設されたジャックパネルをボディ内に取り付け、ボディ内をボディ底面とジャックパネル取付部品上の二段構造にしてボディ内の省スペース化を図ったマルチメディアポートもある。
【特許文献１】特開平２０００−１３３９５２号公報（第３頁−第６頁、及び、第２図）
【発明の開示】
【発明が解決しようとする課題】
【０００５】
しかしながら、上記従来のマルチメディアポートなどのように、ボディ内に多くの内器を設置するのでスペースが不足するという問題があった。この課題を解決するためにジャックパネル取付部品を使用することも行われているが、部品数が増えるといった問題が新たに発生する。また、多くのＬＡＮケーブルがボディ内に引き込まれるので、ボディ内の配線が煩雑になるという問題もあった。
【０００６】
本発明は上述の点に鑑みて為されたものであり、その目的とするところは、ボディ内において部品数を増やさずに内器取り付けスペースを有効活用することができるとともに配線を簡素にすることができるマルチメディアポートを提供することにある。
【課題を解決するための手段】
【０００７】
請求項１に記載の発明は、映像用機器及び通信用機器の少なくとも一方を内器として１乃至複数情報盤に収用してなるマルチメディアポートであって、前記情報盤は、底部及び前記底部の全周から突出する側周部からなり、底部の一部に矩形状の貫通穴を形成するボディと、前記貫通穴に配置されるジャックパネルとを備え、前記ジャックパネルは正面部にモジュラプラグ接続用の開口と背面部に電線接続端子とを有するモジュラジャックを複数並設して備えることを特徴とする。
【０００８】
この構造では、ジャックパネル取付部品など他の部品を使用せずにジャックパネルを取り付けることができるとともにＬＡＮ端子台が不要である。また、ＬＡＮケーブルなどを接続する電線接続端子を有しているモジュラジャックの背面部が貫通穴を通してボディの外側に位置しているのでＬＡＮケーブルがボディ内に入らない。これにより、ボディ内において部品数を増やさずに内器取付スペースを有効活用することができるとともに配線を簡素にすることができる。
【０００９】
請求項２に記載の発明は、映像用機器及び通信用機器の少なくとも一方を内器として１乃至複数情報盤に収用してなるマルチメディアポートであって、前記情報盤は、底部及び前記底部の端部から突出する側周部からなり、底部の一部に一の方向を長手方向とする矩形状の貫通穴を形成するボディを含み、前記貫通穴は、正面部にモジュラプラグ接続用の開口と背面部に電線接続端子とを有する埋め込みモジュラジャックを複数挿通する寸法に設定され、前記埋め込みモジュラジャック及び前記貫通穴の内の一方が前記一の方向に沿う両端に少なくとも一対の突起を有するとともに、他方が前記一の方向に沿う両端に少なくとも一対の凹所を有し、前記突起と前記凹所を凹凸係合して前記埋め込みモジュラジャックを前記貫通穴に配置することを特徴とする。
【００１０】
この構造では、これまでに市販され汎用性のある埋め込みモジュラジャックを貫通穴に必要な数だけ取り付けることができる。また、ＬＡＮケーブルなどを接続する電線接続端子を有している埋め込みモジュラジャックの背面部が貫通穴を通してボディの外側に位置しているのでＬＡＮケーブルがボディ内に入らない。これにより、ボディ内において部品数を増やさずに内器取付スペースを有効活用することができるとともに配線を簡素にすることができる。
【発明の効果】
【００１１】
本発明によれば、ボディ内において部品数を増やさずに内器取付スペースを有効活用することができるとともに配線を簡素にすることができる。
【発明を実施するための最良の形態】
【００１２】
（実施形態１）
まず、実施形態１の基本的な構成について図１〜図４を用いて説明する。実施形態１において、図１に示すそれぞれ直交する方向を左右方向、上下方向及び前後方向とする。
【００１３】
図１のマルチメディアポートは、映像用機器及び通信用機器の少なくとも一方を内器として１乃至複数情報盤内に収用するものであり、底部及び底部の全周から突出する側周部からなり前方に矩形状の開口を有する箱状に形成された樹脂製のボディ１及びこの開口を閉塞する形状に形成された樹脂製のカバー２により構成される情報盤を備え、この情報盤内に、金属（例えば鉄などの磁性体）製の内器取付部材３と、複数の内器４とを収用している。
【００１４】
上記箱状のボディ１の底部となる後面部１０には、左右方向を長手方向とする矩形状の周囲に沿って切り込みが設けられたノックアウト部１１が、上端及び下端側にそれぞれ複数穿設され、切り込みの内側と外側が数ヶ所の端点で接続されている。ノックアウト部１１は必要に応じて内側を取り外すことができ容易に貫通穴１２を形成することができる。
【００１５】
箱状のボディ１において、取付ねじの足部挿通用の頭部が上向きとなるだるま状の取付孔１０ａが、上端側中央に穿設され、そして矩形状で上下中央に半円状の切り欠きのある十字状の取付孔１０ｂが４隅近傍の各々に穿設されている。これにより、先行配線されたケーブルを貫通穴１２に挿通した上で、取付孔１０ａ，１０ｂに、例えば壁面などの施工面に仮固定された取付ねじなどの金具を挿通すれば、その金具によりボディ１を施工面に仮止めすることができ、仮固定された金具を固定することにより、ボディ１を施工面に固定することができる。
【００１６】
また、ボディ１の後面部１０の前面に、取付プレート（図示せず）を設けてもよい。取付プレートは後面部１０に数ヶ所のねじ止めによって固定される。ボディ１の後面部１０（又はこの前面に取り付けられる取付プレート）における上端側の貫通穴１２の下方近傍には、内器４の上端部を後面部１０の前面に取り付けるための取付ねじ孔（例えばナットの孔）１０ｃが、所定の単位寸法間隔で複数左右方向に並設されている。後面部１０における下端側の貫通穴１２の上方近傍には、先端部が上向きで前方に突出する断面Ｌ字状に形成され内器４の下端を支持するための支持片１００及び内器４の下端部を後面部１０の前面に取り付けるための取付ねじ孔（例えばナットの孔）１０ｄが、所定の単位寸法間隔で複数左右方向に並設されている。
【００１７】
さらに、ボディ１の後面部１０における左端側中央には、商用電源とこれを必要とする内器４との間に介設されるジョイントボックス（図示せず）を取り付けるための突台１０１が前方に突設されている。ジョイントボックスには、商用電源からの先行配線されたケーブル（メタルケーブル）と上記内器４へのケーブル（メタルケーブル）とが接続され、内部配線により商用電源と上記内器４とが接続される。
【００１８】
ボディ１の後面部１０の全周から前方に立設され、上側周部１３、下側周部１４、左側周部１５及び右側周部１６からなる側周部は、各内器４の前後方向における奥行き寸法よりも大きい寸法に設定される。また、上側周部１３及び下側周部１４の各縁部には、後述する一対の脚部３１，３１の先端部３１２，３１２と当接する一対の鍔片が、一体乃至別部品により設けられ、これら一対の鍔片の各々には、ねじ孔又は埋込ナットによるねじ孔が形成されている。
【００１９】
カバー２は、後方に矩形状の開口を有する箱状に形成され、例えば自己の開口縁部がボディ１の開口縁部と嵌合することによりボディ１に固定され、ボディ１の開口を開閉自在に閉塞するようになっている。そして、箱状のカバー２の底部となる前面部２０には、左右方向を長手方向とする通気口２０ａが上端及び下端側の各々に複数形成されている。また、カバー２の前面部２０の全周から後方に立設される側周部２１も、各内器４の前後方向における奥行き寸法よりも大きい寸法に設定される。
【００２０】
内器取付部材３は、矩形状の主部３０と、この上下端の各両側に延設された一対の脚部３１，３１とを有するＨ字状に形成され、主部３０の左端中央に、ボディ１の後面部１０における突台１０１を前方に露呈するための切り欠き３０ａを有している一方、主部３０の右端寄りに、ボディ１の後面部１０に取り付けられる内器４に対して窓部となる窓孔３０ｂを有している。
【００２１】
主部３０の上端側には、内器４の上端部を当該主部３０の前面に取り付けるための取付ねじ孔３０ｃが、所定の単位寸法間隔で複数左右方向に並設されている。主部３０の下端側には、内器４の下端部を当該主部３０の前面に取り付けるための取付ねじ孔３０ｄが、所定の単位寸法間隔で複数左右方向に並設されている。また、主部３０には、所定の単位寸法に準じない形状の内器４を取り付けるための取付ねじ孔（図示せず）が複数形成されている。
【００２２】
脚部３１は、基部３１０と先端部３１２との間の中間部３１１が後方に屈曲する段差構造となっており、一段後方に位置する先端部３１２には、頭部横向き（例えば右向き）のだるま状の取付孔が穿設されている。これにより、内器取付部材３の各脚部３１の取付孔に、ボディ１の各鍔片のねじ孔に仮固定された取付ねじを挿通すれば、それらの各取付ねじにより内器取付部材３をボディ１に仮止めすることができ、仮固定された取付ねじを固定することにより、内器取付部材３をボディ１に固定することができる。内器取付部材３をボディ１から取り外す場合には、上記各取付ねじを緩めた後、各取付ねじの頭部を脚部３１の取付孔の胴部に通すようにすれば、内器取付部材３をボディ１から取り外すことができる。
【００２３】
内器４には、所定の単位寸法に準じた形状のもの（図１ではボディ１に取り付けられている内器４，４）と、そうでないもの（図１では内器取付部材３に取り付けられている内器４）とがあり、単位寸法に準じた内器４は、上下の高さ寸法が略一定の高さに設定され、左右の幅寸法が所定の単位寸法の整数倍（１，２倍等）に設定された器体４０を備えることにより、寸法のモジュール化が図られている。
【００２４】
上記器体４０は、上下方向を長手方向とし前面部及び底部が矩形状となる角状に形成され、前面部に対して底部が上下にそれぞれ突出することにより上端部４０１及び下端部４０２が鍔状となっている。このような器体は、例えば、後方に開口を有する器体ボディと、これよりも上下方向に長い裏蓋とにより構成することができる。あるいは、後方に開口を有しこの開口縁部の上下にフランジを有する器体ボディと、この開口を閉塞する裏蓋とにより構成することもできる。
【００２５】
器体４０の上端部４０１には、ボディ１の取付ねじ孔１０ｃ又は内器取付部材３の取付ねじ孔３０ｃに対応する取付ねじの足部挿通用の挿通孔４０１ａが穿設されているとともに、下端部４０２には、ボディ１の取付ねじ孔１０ｄ又は内器取付部材３の取付ねじ孔３０ｄに対応する取付ねじの足部挿通用の挿通孔（図示せず）が穿設されている。
【００２６】
ジャックパネル５は、モジュラプラグ（図示せず）が着脱自在に接続されるモジュラジャック６と、複数（例えば６個）のモジュラジャック６を一列に並べて保持する保持部材たるパネル７とで構成される。
【００２７】
図２に示すように、モジュラジャック６のハウジング６０は、絶縁性を有する合成樹脂の成形品からなり、前面が略矩形状に形成されている。ハウジング６０の前面にはモジュラプラグが挿入されるプラグ挿入口６１が開口し、プラグ挿入口６１内にモジュラプラグの接触子と弾接するように複数本のコンタクト（図示せず）が配設されている。
【００２８】
また、ハウジング６０の左右両側面には、それぞれ、側方に突出する一対の突起６２が上下に形成されており、一対の突起６２の間にはハウジング６０の長手方向に沿って走る係止溝６３が形成されている。さらに、ハウジング６０の中上面には係止凹所６４が形成されている。
【００２９】
ハウジング６０後部には、図３に示すように、各コンタクトと夫々電気的に接続された複数の電線接続端子６５が突出している。電線接続端子６５はＩＤＣ端子と呼ばれるものであり、一対の歯の間に上端縁を開放した圧接スリット６５ａを有するフォーク状に形成された圧接形のものであって、圧接スリット６５ａの幅はＬＡＮケーブルなど接続する電線の芯線に圧接スリット６５ａの両側縁が圧接する程度に設定されている。つまり、絶縁被覆を有する電線を圧接スリット６５ａに上方から圧入すると、電線の絶縁被覆を圧接スリット６５ａの両側縁で切ることにより絶縁被覆を剥ぎながら圧接スリット６５ａの中に芯線を導入し、圧接スリット６５ａの両側縁間に芯線を挟持するようになっている。
【００３０】
さらに、別途の工具や治具を用いることなく電線接続端子６５に電線を接続可能とするために、図３に示すように、複数本の電線をまとめて保持する整列機能及び電線を電線接続端子６５に圧入する圧入機能を兼ね備えた合成樹脂成形品の一対のレバー６６をハウジング６０に設けている。レバー６６はハウジング６０に形成した軸受部６７に対して回転軸６８を介して枢支される。すなわち、レバー６６は軸受部６７を中心として回動可能であって、ハウジング６０から突出する電線接続端子６５に被さる位置と、電線接続端子６５を開放する位置との間で起伏可能になっている。而して、レバー６６により電線を保持し、所定の電線接続端子６５に整列させ、レバー６６をハウジング６０側に倒すことによって、電線が所定の電線接続端子６５に圧接され、所定のコンタクトと電気的に接続される。
【００３１】
複数のモジュラジャック６が取り付けられるパネル７は絶縁性を有する合成樹脂成形品から構成される。パネル７は、図２に示すように、前面が略矩形板状であって、各モジュラジャック６の前面をそれぞれ露出させる複数（例えば６個）の開口７０が一列に設けられている。パネル７の背面には各モジュラジャック６の左右両側面を支持する支持片７１が形成されている。各支持片７１にはモジュラジャック６の係止溝６３と係止する突条７１ａが形成されるとともに、突起６２の前縁と当接する段部７２が形成されている。
【００３２】
また、パネル７の背面には、図４に示すように、各モジュラジャック６の上下面とそれぞれ当接する当接片７３，７４が突設されている。さらに、パネル７の背面には、アーム７５を介して可撓自在に支持され、ハウジング６０の中上面と対向するラッチ片７６が設けられており、ラッチ片７６にはハウジング６０の係止凹所６４と凹凸嵌合する係止突起７７が突設されている。
【００３３】
さらに、パネル７の背面の上端部には背面側に突出する一対の係止片７８がパネル７と連続一体に形成されている。各係止片７８の先端両側には、それぞれ、貫通穴１２の開口縁１２ａと凹凸嵌合する一対の嵌合爪７９が突設されており、各嵌合爪７９の先端にはテーパ面７９ａが形成されている。また、ハウジング６０の中下面と当接する当接片７４には下方に突出する突起７４０が突設されている。
【００３４】
実施形態１は、ＬＡＮケーブルなどの電線が接続される複数のモジュラジャック６を備えているジャックパネル５を、ボディ１の後面部１０に設けられた貫通穴１２に電線接続端子６５をボディ１の外側にし、モジュラプラグ接続のプラグ挿入口６１をボディ１の内側になるように取り付けることを特徴とする。
【００３５】
内器４をボディ１又は内器取付部材３に取り付ける手順について図１を用いて説明する。例えば、内器４の下端をボディ１の支持片１００で支持し、その器体４０の上端部４０１の挿通孔４０１ａに取付ねじの足部を挿通して、対応するボディ１の取付ねじ孔１０ｃに螺着するとともに、器体４０の下端部４０２の挿通孔に取付ねじの足部を挿通して、対応するボディ１の取付ねじ孔１０ｄに螺着することにより、内器４をボディ１の後面部１０の前面に簡単に取り付けることができる。なお、器体４０の上端部４０１の挿通孔４０１ａを頭部上向きのだるま状にすることにより、内器４をボディ１の後面部１０の前面により簡単に取り付けることができる。
【００３６】
また、内器４の器体４０における上端部４０１の挿通孔４０１ａ及び下端部４０２の挿通孔を、それぞれ内器取付部材３の取付ねじ孔３０ｃ及び取付ねじ孔３０ｄに位置合わせしながら、上端部４０１の挿通孔４０１ａに取付ねじの足部を挿通して、対応する内器取付部材３の取付ねじ孔３０ｃに螺着するとともに、下端部４０２の挿通孔に取付ねじの足部を挿通して、対応する内器取付部材３の取付ねじ孔３０ｄに螺着することにより、内器４を内器取付部材３の主部３０の前面に取り付けることができる。これにより、マルチメディアポートの左右方向の幅寸法を増大させることなく、マルチメディアポートに収納可能な内器４の個数を増やすことができる。
【００３７】
次に、モジュラジャック６をジャックパネル５に取り付ける手順について図２を用いて説明する。まず、パネル７の背面に突設されたラッチ片７６に上向きの力を加え、ラッチ片７６を上方に撓ませた状態で、モジュラジャック６のレバー６６が取り付けられた面を下向きにし、モジュラジャック６の左右両側面に形成された係止溝６３と保持部材の支持片７１に突設された突条７１ａとを係止させて、モジュラジャック６をパネル７の背面側から前面側に挿入する。ここで、モジュラジャック６の前面がパネル７の前面と略面一になると、モジュラジャック６の左右両側面に突設された突起６２が、支持片７１の段部７２と当接し、モジュラジャック６の前方への移動が規制される。この状態でラッチ片７６に加えた上向きの力をなくすと、ラッチ片７６の係止突起７７がモジュラジャック６のハウジング６０に設けられた係止凹所６４と係止し、モジュラジャック６がパネル７に取り付けられるのである。なお、ラッチ片７６に上向きの力を加えることにより、ラッチ片７６の係止突起７７とモジュラジャック６の係止凹所６４との係止が解除され、モジュラジャック６をパネル７から容易に取り外すことができる。
【００３８】
このようにモジュラジャック６が備えられたジャックパネル５をボディ１の後面部１０に形成された貫通穴１２に取り付ける手順について図４を用いて説明する。まず、図４（ａ）の状態からジャックパネル５を斜めにして貫通穴１２に前面（図４では左側）から挿入し、パネル７の当接片７４に突設された突起７４０を貫通穴１２に差し込むと、パネル７の前面と突起７４との間の溝７４１に貫通穴１２の開口縁１２ａが峡持される。その後、下部の開口縁１２ａを軸としてパネル７の上部を開口縁１２ａに挿入すると、パネル７の係止片７８に突設された嵌合爪７９と開口縁１２ａが当接して、係止片７８が下方に押し撓められ、嵌合爪７９が開口縁１２ａを乗り越えて開口縁１２ａと背面側で係止し、図４（ｂ）に示すように、ジャックパネル５は貫通穴１２に取り付けられる。
【００３９】
このように、パネル７の突起７４０と開口縁１２ａとが凹凸嵌合するとともに、パネル７の嵌合爪７９と開口縁１２ａとが凹凸嵌合することにより、ジャックパネル５が貫通穴１２に着脱自在に取り付けられるので、別途工具などを必要とすることなく、ジャックパネル５をワンタッチで貫通穴１２に取り付けることができ、取付作業を容易に行うことができる。なお、嵌合爪７９及び開口縁１２ａにはテーパ面７９ａが形成されているので、嵌合爪７９のテーパ面７９ａと開口縁１２ａを当接させた状態でパネル７の上部を貫通穴１２の背面側に押し込めば、嵌合爪７９のテーパ面７９ａが開口縁１２ａに沿って移動することにより、嵌合爪７９と開口縁１２ａをスムーズに係止させることができる。
【００４０】
一方、ジャックパネル５を貫通穴１２から取り外す際は、パネル７の前面に形成された工具挿入溝７ａと貫通穴１２との間にマイナスドライバなどの工具の先端を差し込んで、係止片７８に下方への力を加えることにより、嵌合爪７９と開口縁１２ａとの嵌合状態を解除し、ジャックパネル５を貫通穴１２から取り外すことができるようにしてある。このように、パネル７の前面に工具挿入溝７ａを形成しているので、前面側から工具を挿入して嵌合爪７９と開口縁１２ａとの嵌合状態を解除することができ、貫通穴１２の前面側からジャックパネル５の取り外し作業を行うことができる。
【００４１】
上述のマルチメディアポートにおいて、モジュラジャック６に貫通穴１２に取り付けるための機能を設ける必要がない。また、ジャックパネル取付部品など他の部品を使用せずにジャックパネル５を取り付けることができるとともにＬＡＮ端子台が不要である。さらに、ＬＡＮケーブルなどを接続する電線接続端子６５を有するモジュラジャック６の背面部が貫通穴１２を通してボディ１の外側に位置しているのでＬＡＮケーブルがボディ１内に入らない。
【００４２】
以上、実施形態１によれば、ジャックパネル５をボディ１の後面部１０に設けられた貫通穴１２に取り付けることから、他の部品やＬＡＮ端子台が不要であるとともに、ＬＡＮケーブルがボディ１内に入らない。これにより、ボディ１内において部品数を増やさずに内器４取付スペースを有効活用することができるとともに配線を簡素にすることができる。また、既存のモジュラジャック６を用いることができるとともに複数のモジュラジャック６を貫通穴１２に一度に着脱することができる。
【００４３】
なお、ジャックパネル５をボディ１の後面部１０に形成された貫通穴１２に取り付ける他の変形例として、ボディ１の後面部１０に、ノックアウト部１１としてではなく、最初から貫通穴１２が形成される場合にも、ジャックパネル５を取り付けるようにしてもよい。この構造では、ノックアウト部１１だけでなく、最初から形成されている貫通穴１２に対してもジャックパネル５を取り付けることができる。
【００４４】
（実施形態２）
実施形態２は、実施形態１といくつか共通する部分がある。共通する部分は図１に示しているボディ１、カバー２、内器取付部材３、内器４及び内器４をボディ１に取り付ける手順である。実施形態２の基本的な構成について、実施形態１と異なる部分を図５及び図６を用いて説明する。実施形態２においても、図１に示すそれぞれ直交する方向を左右方向、上下方向及び前後方向とする。
【００４５】
埋め込みモジュラジャック８は、図５に示すように、ケース８０内に、ジャックブロック（図示せず）と扉８１とを収納して形成される。ケース８０は、前面が開口するボディ８２と、ボディ８２の前面に結合されるカバー８３とにより形成される。
【００４６】
ボディ８２は、電線接続端子８４を有する。電線接続端子８４は、ボディ８２内でジャックブロック内に有する各コンタクトと夫々電気的に接続される。ただし、上述のボディ８２の構成は一例であり、後述する取付部９に取り付けることができる構成であれば他の構成を用いてもよく、従来の各種埋め込みモジュラジャックが使用可能である。
【００４７】
カバー８３は、ＪＩＳ規格や日本配線器具工業会規格において、一般の配線器具の単位寸法と同じ取付寸法に合成樹脂により形成される。すなわち、規格化されている従来の取付枠に取り付けることができる配線器具の単位寸法と同等の形状・寸法を有し、後述する取付部９に取り付けることもできる。具体的には、カバー８３は、前面の中央部に突台８３０を有し、突台８３０の両側面にはそれぞれ結合孔８３１が穿設され、また、カバー８３の両側縁には各一対の結合爪片８３２が突設される。結合孔８３１及び結合爪片８３２は、取付部９に取り付けることができるように寸法が設定されている。突台８３０の中央部にはモジュラプラグを挿入するプラグ挿入口８５を有する。
【００４８】
扉８１は、一対の扉体８１ａ，８１ｂを組み合わせて形成される。一方の扉体８１ｂにはカバー８３から突出する操作片８１ｃが設けられ、扉８１がプラグ挿入口８５を閉じている状態で、この操作片８１ｃを持って扉体８１ｂをプラグ挿入口８５の開口面に沿ってスライドさせると、他方の扉体８１ａの端面に操作片８１ｃが当接し、両扉体８１ａ，８１ｂを移動させてプラグ挿入口８５を開くことができる。
【００４９】
左右方向を長手方向とする一対の取付部９は、金属又は合成樹脂により形成され、貫通穴１２における長手方向に沿う両側に設けられて、従来の取付枠における長手方向に沿う両側部に対応する形状が上述の埋め込みモジュラジャック８を複数個（例えば５個）取り付けることができるように左右方向にのびて形成されている。具体的には、取付部９は、図６に示すように、開口窓９０を囲む両側片９１ａ，９１ｂに、それぞれ埋め込みモジュラジャック８の側縁に突設された結合爪片８３２が係合する保持孔９２ａ，９２ｂを有し、一方の側片９１ａ側には側片９１ｂとの距離を変えるように撓むことができる操作片９３が形成される。
【００５０】
実施形態２は、これまでに市販され汎用性のある埋め込みモジュラジャック８をボディ１の後面部１０に設けられた貫通穴１２に電線接続端子６５がボディ１の外側にし、モジュラプラグ接続の開口部８５がボディ１の内側になるように取付部９を介して取り付けることを特徴とする。
【００５１】
取付部９をボディ１の後面部１０に形成された貫通穴１２の開口縁１２ａに取り付ける手順について説明する。先ず、後面部１０に設けられているノックアウト部１１の内側を取り去って後面部１０に貫通穴１２を形成する。次に、取付部９を接着剤又は嵌合などにより上記貫通穴１２の開口縁１２ａの上下に取り付けることにより取付部９を開口縁１２ａに取り付けることができる。
【００５２】
次に、埋め込みモジュラジャック８を取付部９に取り付ける手順について図６を用いて説明する。取付部９に埋め込みモジュラジャック８を取り付けるときには、取付部９の後方から埋め込みモジュラジャック８を取付部９に押し付けるようにすれば、操作片９３が撓んで埋め込みモジュラジャック８を取付部９に嵌着でき、このとき、突台８３０が開口窓９０から突出する。一方、取付部９から埋め込みモジュラジャック８を外すには、操作片９３をマイナスドライバなどの工具で外側に力を加えればよい。
【００５３】
上述のマルチメディアポートにおいて、市販の埋め込みモジュラジャック８を必要な数だけ取り付けることができる。また、ＬＡＮケーブルなどを接続する電線接続端子を有している埋め込みモジュラジャック８の背面部が貫通穴１２を通してボディ１の外側に位置しているのでＬＡＮケーブルがボディ内に入らない。
【００５４】
以上、実施形態２によれば、これまでに市販され汎用性のある埋め込みモジュラジャック８を、ボディ１の後面部１０に設けている貫通穴１２に取り付けることができるとともに、ＬＡＮケーブルがボディ１内に入らない。これにより、ボディ１内において部品数を増やさずに内器４取付スペースを有効活用することができるとともに配線を簡素にすることができる。
【００５５】
なお、取付部９をボディ１の後面部１０に形成された貫通穴１２の開口縁１２ａに取り付ける変形例として、取付部９と貫通穴１２の周囲の後面部１０にねじ孔を設けてねじ止めによって取付部９を取り付けるようにしてもよい。この構造では、取付部９を貫通穴１２に強固に取り付けることができる。
【００５６】
また、取付部９をボディ１の後面部１０に形成された貫通穴１２の開口縁１２ａに取り付ける他の変形例として、ノックアウト部１１において、内側を取り去って貫通穴１２を形成する前に、例えば、インサート成形（取付部９が金属製の場合）又は一体成形（取付部９が合成樹脂製の場合）により、取付部９を開口縁１２ａとなる部分にすでに有している構成でもよい。この構造では、必要なときにノックアウト部１１の内側を取り去り貫通穴１２を形成するだけで、貫通穴１２に設けられた取付部９に埋め込みモジュラジャック８を取り付けることができる。
【００５７】
さらに、取付部９をボディ１の後面部１０に形成された貫通穴１２の開口縁１２ａに取り付ける他の変形例として、ボディ１の後面部１０に、ノックアウト部１１としてではなく、最初から貫通穴１２が形成される場合にも、取付部９を取り付けることができる。この場合、例えば、接着剤、嵌合又はねじ止めにより、取付部９を開口縁１２ａに取り付けることができる。この構造では、ノックアウト部１１だけでなく、最初から形成されている貫通穴１２に対しても貫通穴１２に設けられた取付部９に埋め込みモジュラジャック８を取り付けることができる。また、製造の段階で、例えば、インサート成形（取付部９が金属製の場合）又は一体成形（取付部９が合成樹脂製の場合）により、取付部９を貫通穴１２に取り付けておく構成でもよい。
【００５８】
なお、実施形態２の変形例として、埋め込みモジュラジャック８を取付部９に取り付けるときに、結合孔８３１を利用して埋め込みモジュラジャック８を取り付けるための突起（例えば、従来と同様の弓状の突起）を各取付部９に設けてもよい。
【図面の簡単な説明】
【００５９】
【図１】本発明による実施形態１のマルチメディアポートの分解斜視図である。
【図２】同上のジャックパネルを構成するモジュラジャック及びパネルの外観斜視図である。
【図３】同上のジャックパネルを構成するモジュラジャックの側面図である。
【図４】同上のジャックパネルの断面図であって、（ａ）はジャックパネルを貫通穴に取り付ける前の状態を示す図、（ｂ）はジャックパネルを貫通穴に取り付けた状態を示す図である。
【図５】本発明による実施形態２のマルチメディアポートの埋め込みモジュラジャックの外観斜視図である。
【図６】同上の埋め込みモジュラジャックを貫通穴に取り付けた状態を示す図である。
【符号の説明】
【００６０】
１  ボディ
１０  後面部
１１  ノックアウト部
１２  貫通穴
１３  上側周部
１４  下側周部
１５  左側周部
１６  右側周部
２  カバー
３  内器取付部材
４  内器
５  ジャックパネル
６  モジュラジャック
６１  プラグ挿入口
６５  電線接続端子
７  パネル
８  埋め込みモジュラジャック
８３１  結合孔
８３２  結合爪片
８４  電線接続端子
８５  プラグ挿入口
９  取付部
９２ａ，９２ｂ  保持孔
【図１】
2005056710.tif 000003
【図２】
2005056710.tif 000004
【図３】
2005056710.tif 000005
【図４】
2005056710.tif 000006
【図５】
2005056710.tif 000007
【図６】
2005056710.tif 000008